(57)【要約】【課題】回転式アンテナを備えた無線装置において、回転式アンテナの電波送受信能力への、無線装置本体内電気回路のノイズからの影響を小さくすること。【解決手段】無線装置本体１１に結合された回転式アンテナ１２は回転が可能であるが、突起部１３によってその回転は無線装置本体１１の背面側に制限される。よって、無線装置を壁３１等に設置することで無線装置本体１１の背面側への回転も制限され、設置するだけで回転式アンテナ１２が無線装置本体１１内電気回路１４から離れた位置で維持され、回転式アンテナの無線電波送受信能力に対する無線装置本体１１内電気回路１４からのノイズの影響を小さく抑えることができる。【選択図】  図３
2005033249.tif 000002
【特許請求の範囲】
【請求項１】
壁や据置き台に固定して使用する無線装置で、無線装置本体もしくは回転式アンテナに前記回転式アンテナの回転を制限する突起部を有することを特徴とし、運搬時には前記回転式アンテナを前記無線装置本体近傍に折りたたむことで省スペース化を図ることができ、設置、使用時には前記回転式アンテナを伸ばした状態で維持することができる無線装置。
【発明の詳細な説明】
【０００１】
【発明の属する技術分野】
本発明は無線装置に関するものである。
【０００２】
【従来の技術】
図６は従来の無線装置の正面図である。従来、無線装置の回転式アンテナ６２は、無線不使用時には無線装置本体６１近傍への折りたたみにより携帯性を向上させることができる。また、図７（ａ）、（ｂ）は従来の無線装置の正面図、側面図である。無線使用時には回転式アンテナ６２を使用者が任意に回転させることで、無線の送受信能力を最大限に得ることができる。そのため、回転式アンテナ６２と無線装置本体６１の結合部において回転式アンテナ６２の自由な回転操作時に回転式アンテナ６２への導電が失われない構造が必要である（特許文献１参照）。
【０００３】
【特許文献１】
実開平４−１０２５９１号公報
【０００４】
【発明が解決しようとする課題】
しかしながら、自由に回転可能な回転式アンテナを有する無線装置では、回転式アンテナの無線電波送受信能力を阻害してしまう可能性がある。ここで、図８は前記従来の無線装置の無線使用時の正面図である。例えば、定期的に電波の送受信が必要な無線装置では回転式アンテナ６２が自由に回転可能であると、使用者が回転式アンテナ６２を無線装置本体６１近傍へ折りたたんだ状態で使用することにより、無線装置本体６１内電気回路８４によるノイズが回転式アンテナ６２の無線電波送受信能力に影響を与えてしまう可能性がある。
【０００５】
本発明は、上記従来の課題を解決するもので、運搬時には回転式アンテナを折りたたむことができ、設置、使用時には回転式アンテナを伸ばした状態を維持し、無線装置本体内電気回路によるノイズの影響を小さくする無線装置の提供を目的とする。
【０００６】
【課題を解決するための手段】
前記従来の課題を解決するために、本発明の無線装置は、回転式アンテナと無線装置本体の結合部に回転式アンテナの回転を制限する突起部を設けたものである。この突起部によって設置、使用時の回転式アンテナと無線装置本体とを離した状態で維持するものである。
【０００７】
【発明の実施の形態】
請求項１に記載の発明は、回転式アンテナと無線装置本体との結合部に、回転式アンテナの回転を制限する突起部を設けることで、無線装置を壁や据置き台に設置、使用時に回転式アンテナと無線装置本体内電気回路とを離し、回転式アンテナの電波送受信能力への無線装置本体内電気回路によるノイズの影響を小さくすることができる。
【０００８】
【実施例】
以下、本発明の実施例について、図１〜図５を参照しながら説明する。
【０００９】
図１（ａ）、（ｂ）は、本発明の第１、第２の実施例における無線装置の正面図、側面図を示すものである。無線装置本体１１に結合された回転式アンテナ１２は回転が可能であるが、突起部１３によってその回転は無線装置の背面側に制限される。
【００１０】
図２は、本発明の第１、第２の実施例における無線装置の正面図を示すものである。運搬時には、回転式アンテナ１２を無線装置本体１１の側面に回転させ、省スペース化を図ることができる。
【００１１】
（実施例１）
図３は、本発明の第１の実施例における無線装置の側面図である。無線装置本体１１は、壁３１に固定されている。そのため、回転式アンテナ１２は突起部１３と壁３１に挟まれ、無線装置本体１１の側面まで回転させることができなくなる。これによって無線装置設置時に無線装置本体１１内電気回路１４からのノイズの影響を小さくすることができる。
【００１２】
（実施例２）
図４は、本発明の第２の実施例における無線装置の側面図である。無線装置本体１１は、据置き台４１に固定されている。そのため、回転式アンテナ１２は突起部１３と据置き台４１に挟まれ、無線装置本体１１の側面まで回転させることができなくなる。これによって無線装置設置時に無線装置本体１１内電気回路１４からのノイズの影響を小さくすることができる。
【００１３】
ここで、図５（ａ）は、本発明の第１、第２の実施例における無線装置の正面断面図である。また、図５（ｂ）は、図５（ａ）の破線ＡＡ’での側面断面図である。本発明の無線装置の図１〜図４において、突起部は説明の便宜上無線装置本体１１の外側に配置してある。しかし、無線装置本体１１の内側に本体側突起部５５、回転式アンテナ１２にアンテナ側突起部５６を設けることによって本発明の実施例１、２を実現することができ、また無線装置本体１１のデザイン的にも好ましい。
【００１４】
【発明の効果】
以上のように、本発明によれば、無線装置の運搬時には回転式アンテナを折りたたむことで省スペース化が図れ、使用時には回転式アンテナを伸ばした状態を簡単に維持し、回転式アンテナの電波送受信能力を最大限に得ることができる。また、設置時には回転式アンテナは回転可能であり、アンテナの取外しによって運搬時の省スペース化を図る場合に比べ、取付け等の手間を省くことができる。
【図面の簡単な説明】
【図１】（ａ）本発明の第１、第２の実施例における無線装置の正面図
（ｂ）本発明の第１、第２の実施例における無線装置の側面図
【図２】本発明の第１、第２の実施例における無線装置の正面図
【図３】本発明の第１の実施例における無線装置の側面図
【図４】本発明の第２の実施例における無線装置の側面図
【図５】（ａ）本発明の第１、第２の実施例における無線装置の正面断面図
（ｂ）本発明の第１、第２の実施例における無線装置の側面断面図
【図６】従来の無線装置の正面図
【図７】（ａ）従来の無線装置の正面図
（ｂ）従来の無線装置の側面図
【図８】従来の無線装置の正面図
【符号の説明】
１１、６１  無線装置本体
１２、６２  回転式アンテナ
１３  突起部
１４、８４  電気回路
３１  壁
４１  据置き台
５５  本体側突起部
５６  アンテナ側突起部
【図１】
2005033249.tif 000003
【図２】
2005033249.tif 000004
【図３】
2005033249.tif 000005
【図４】
2005033249.tif 000006
【図５】
2005033249.tif 000007
【図６】
2005033249.tif 000008
【図７】
2005033249.tif 000009
【図８】
2005033249.tif 000010